(57)【特許請求の範囲】
【請求項１】
パルプモールド容器の製造方法であって、
パルプモールドよりなる容器本体を準備する工程と、
前記容器本体の外面全体に、着色処理された第１の熱硬化性樹脂を塗布して、これを硬化させて着色層を形成する第１の工程と、
前記着色層に対して、前記容器本体も含めて貫通する貫通孔を形成する第２の工程と、
前記容器本体の内面全体に非透水性の熱可塑性フィルムを、前記貫通孔を介した吸引状態で貼り付けて耐水層を形成する工程とを備えた、パルプモールド容器の製造方法。
【請求項２】
前記第１の工程は、前記着色層の外面に、透明処理された第２の熱硬化性樹脂を塗布してこれを硬化させてコート層を形成する工程を更に含む、請求項１記載のパルプモールド容器の製造方法。
【発明の詳細な説明】
【技術分野】
【０００１】
この発明はパルプモールド容器の製造方法に関し、特に着色されたパルプモールド容器の製造方法に関するものである。
【背景技術】
【０００２】
パルプモールド容器は、一般的にはパルプ材本来の色である茶色又はパルプ材を漂白して得られる白色をしているが、中には見栄えを向上させるため、パルプ材の溶液に染料や顔料を加えて容器全体を着色したものや、成型後の容器に直接染料等を塗って着色したものも存在する。
【０００３】
しかし、着色したパルプ材の溶液よりなるパルプモールド容器は、容器の成型時に施される熱プレスの熱により、色が褪せてしまう。又、容器に直接染料等を塗ったパルプモールド容器は、色滲みや色移りの問題があった。加えて、これらの容器は耐水機能が無く食品用容器としては不向きであるなどの問題もあった。そこで、特許文献１に示されているようなラミネートされたパルプモールド容器が提案されている。
【０００４】
図９は、このようなパルプモールド容器の外観形状を示した斜視図である。
図を参照して、パルプモールド容器６１は、パルプモールドよりなる容器本体７１と、容器本体の内面全体にラミネートされたポリエチレン（ＰＥ）系又はポリエチレンテレフタレート（ＰＥＴ）系の、非透水性の熱可塑性フィルムよりなる耐水層７５とを備える。
【先行技術文献】
【特許文献】
【０００５】
【特許文献１】特開２０１０−１７３７１１号公報
【発明の概要】
【発明が解決しようとする課題】
【０００６】
上記のような従来のパルプモールド容器では、着色した熱可塑性フィルムを用いることで、ラミネートされる面を着色しつつ耐水層を形成することができたが、容器本体の両面に熱可塑性フィルムをラミネートすることは技術的に困難であるため、片面にしか着色及び耐水層の形成をすることができなかった。
【０００７】
この発明は、上記のような課題を解決するためになされたもので、容器の見栄えが向上すると共に容器の品質が向上するパルプモールド容器の製造方法を提供することを目的とする。
【課題を解決するための手段】
【００１６】
上記の目的を達成するために、請求項１記載の発明は、パルプモールド容器の製造方法であって、パルプモールドよりなる容器本体を準備する工程と、容器本体の外面全体に、着色処理された第１の熱硬化性樹脂を塗布して、これを硬化させて着色層を形成する第１の工程と、着色層に対して、容器本体も含めて貫通する貫通孔を形成する第２の工程と、容器本体の内面全体に非透水性の熱可塑性フィルムを、貫通孔を介した吸引状態で貼り付けて耐水層を形成する工程とを備えたものである。
【００１７】
このように構成すると、熱可塑性フィルムが容器本体の内部に密着する。
【００１８】
請求項２記載の発明は、請求項１記載の発明の構成において、第１の工程は、着色層の外面に、透明処理された第２の熱硬化性樹脂を塗布してこれを硬化させてコート層を形成する工程を更に含むものである。
【００１９】
このように構成すると、容器の外面が光沢を有する。
【発明の効果】
【００３０】
以上説明したように、請求項１記載の発明は、熱可塑性フィルムが容器本体の内部に密着するので、容器内部が耐水機能を有すると共に、熱可塑性フィルムの貼り付け状態が向上する。
【００３１】
請求項２記載の発明は、請求項１記載の発明の効果に加えて、容器の外面が光沢を有するので、容器の品質が向上する。
【図面の簡単な説明】
【００３５】
【図１】この発明の第１の実施の形態によるパルプモールド容器の平面図であって、図９で示した容器に対応した図である。
【図２】図１で示したＩＩ−ＩＩラインの断面図である。
【図３】図２で示した“Ｘ”部分の拡大図である。
【図４】図１で示したパルプモールド容器の製造工程を示した模式図である。
【図５】図４の（３）で示した第１の中間体の底面図である。
【図６】この発明の第２の実施の形態によるパルプモールド容器の拡大断面図であって、先の第１の実施の形態の図３に対応する図である。
【図７】この発明の第３の実施の形態によるパルプモールド容器の拡大断面図であって、先の第１の実施の形態の図３に対応する図である。
【図８】この発明の第４の実施の形態によるパルプモールド容器の拡大断面図であって、先の第１の実施の形態の図３に対応する図である。
【図９】従来のパルプモールド容器の外観形状を示した斜視図である。
【発明を実施するための形態】
【００３６】
図１は、この発明の第１の実施の形態によるパルプモールド容器の平面図であって、図９で示した容器に対応した図であり、図２は、図１で示したＩＩ−ＩＩラインの断面図であり、図３は、図２で示した“Ｘ”部分の拡大図である。
【００３７】
これらの図を参照して、パルプモールド容器１は、葦やサトウキビから得られる非木材素材から形成されるパルプモールドよりなる容器本体１１と、着色層１２と、耐水層１５とを備える。
【００３８】
着色層１２は、容器本体１１の外面全体に被覆され、着色処理され且つ硬化された天然性の熱硬化性樹脂よりなる。このように構成すると、パルプモールド容器１は、その外面が着色され且つ色移りがないものとなるので、見栄えが向上すると共に品質が向上する。
【００３９】
耐水層１５は、容器本体１１の内面全体に貼り付けられた透明なポリプロピレン（ＰＰ）系、ＰＥ系又はＰＥＴ系の熱可塑性フィルムよりなる。このように構成すると、非透水性の熱可塑性フィルムよりなる耐水層１５により、収容物の液体成分の容器本体１１への浸透が阻止されるので、弁当やグラタン等の食品を長時間充填した状態を保てる等、パルプモールド容器１の使用用途が拡がる。又、耐水層１５の厚みが一定となるので、耐水層１５の品質が安定する。
【００４０】
図４は、図１で示したパルプモールド容器の製造工程を示した模式図であり、図５は、図４の（３）で示した第１の中間体の底面図である。
【００４１】
これらの図のうち、まず図４の（１）を参照して、パルプモールドよりなる容器本体１１を準備する。
【００４２】
次に、図４の（２）を参照して、容器本体１１の外面全体に、着色処理された熱硬化性樹脂２２を塗布して、ヒーター３１により１５０℃で６分間熱を加えて硬化させて着色層を形成する。尚、この工程を第１の工程とする。
【００４３】
ここで、熱硬化性樹脂２２は、容器本体１１への塗りやすさを考慮して、透明の熱硬化性樹脂をエタノール等の溶剤で適度に希釈したものに、染料や顔料を添加することにより着色処理を施したものとする。尚、パルプモールド容器を食品用容器とする場合には顔料の添加が望ましく、更には食品添加物として使用できる顔料の添加が望ましい。顔料の添加率は、希釈液に対する質量濃度で２．５％とする。
【００４４】
次に、図４の（３）及び図５を参照して、第１の工程により形成された着色層１２と容器本体１１とからなる第１の中間体４１の着色層１２に対して、容器本体１１も含めて貫通する貫通孔１４を複数個形成する。尚、この工程を第２の工程とする。
【００４５】
貫通孔１４の各々は直径０．２〜１．５ｍｍとし、１ｃｍ２当たり１個程度の割合で形成する。尚、貫通孔１４の各々は、図５に示すように、第１の中間体４１に形成されている曲面形状の頂点の各々に形成すると、後述する熱可塑性フィルムの貼り付けの効率が良くなる。
【００４６】
次に、図４の（４）及び（５）を参照して、アルミ、真鍮又は樹脂よりなる吸引孔３４が形成された金型３３に第１の中間体４１を挿入して、容器本体１１の内面側に図示しない接着層を有する透明なＰＰ系、ＰＥ系又はＰＥＴ系の熱可塑性フィルム２５をヒーター３２で熱した後、貫通孔１４及び吸引孔３４を介して容器本体１１の内面全体に向かって吸引し、容器本体１１の内面全体に沿うように貼り付けて耐水層１５を形成し、第２の中間体４２を得る。
【００４７】
このようにすると、熱可塑性フィルム２５が容器本体１１の内面全体に密着するので、容器内部が耐水機能を有すると共に、熱可塑性フィルム２５の貼り付け状態が向上する。
【００４８】
最後に、図４の（６）を参照して、第２の中間体４２の外周を、図示しないトムソン刃やタガネ等で所定の寸法にカットして、パルプモールド容器１の製造工程を終了する。尚、パルプモールド容器１の底面は、上述のように複数の貫通孔１４を有することになる。
【００４９】
図６は、この発明の第２の実施の形態によるパルプモールド容器の拡大断面図であって、先の第１の実施の形態の図３に対応する図である。
【００５０】
図を参照して、パルプモールド容器１の端部が、天然性の樹脂を塗布したものよりなる端部耐水層１８に覆われたものに置き換わっている。尚、他のパルプモールド容器１の構成要素は第１の実施の形態によるものと同一であるため、ここでの説明は繰り返さない。
【００５１】
このように構成すると、容器本体１１の端部が耐水性を有する樹脂に覆われるため、パルプモールド容器１の耐水性が向上する。
【００５２】
ここで、第２の実施の形態によるパルプモールド容器１は、図４の（２）で示した第１の工程において、硬化した着色層１２の外面に、透明処理された天然性の熱硬化性樹脂を塗布してこれを硬化させる工程を更に含むことにより、図の二点鎖線で示す位置にコート層１３が形成されるものも含む。このように構成すると、パルプモールド容器１は、外面が光沢を有するものとなるので、見栄え及び品質がより向上する。
【００５３】
図７は、この発明の第３の実施の形態によるパルプモールド容器の拡大断面図であって、先の第１の実施の形態の図３に対応する図である。
【００５４】
図を参照して、パルプモールド容器１の耐水層１５を形成するために、図４の（４）及び（５）で示した熱可塑性フィルムを容器本体１１の内面全体に貼り付ける工程が、容器本体１１の内面全体に天然性の熱硬化性樹脂を塗布してこれを硬化させる工程に置き換わっている。尚、他のパルプモールド容器１の構成要素は、貫通孔を有さないことを除き、第１の実施の形態によるものと同一であるため、ここでの説明は繰り返さない。
【００５５】
このようにすると、着色層１２と同様の工程により耐水層１５が形成されるので、耐水層１５の形成が容易なものとなる。又、パルプモールド容器１は、内外面が熱硬化性樹脂で覆われ、かつ外面に貫通孔を有さないものでもあるので、更に耐水性が向上する。
【００５６】
ここで、この第３の実施の形態によるパルプモールド容器１は、第１の工程において、着色層１２の外面に、透明処理された熱硬化性樹脂を塗布してこれを硬化させる工程を更に含むことにより、図の二点鎖線で示す位置である着色層１２の外面にコート層１３が形成されるものも含む。又、熱硬化性樹脂より耐水層１５を形成する上記の工程において、透明処理された天然性の熱硬化性樹脂を塗布してこれを硬化させる工程を更に含むことにより、図の二点鎖線で示す位置である耐水層１５の外面にコート層１６が形成されるものも含む。このように構成すると、パルプモールド容器１は、内外面が光沢を有するものとなるので、見栄え及び品質がより向上する。
【００５７】
又、熱硬化性樹脂より耐水層１５を形成する上記の工程において、容器本体１１の端部に熱硬化性樹脂を塗布し、これを耐水層１５になる熱硬化性樹脂と共に硬化させる工程を更に含むことにより、図の二点鎖線で示す位置である容器本体１１の端部に端部耐水層１８が形成されるものも含む。このようにすると、容器本体１１の端部も含めパルプモールド容器１の全体が熱硬化性樹脂に覆われるので、耐水性がより向上する。
【００５８】
図８は、この発明の第４の実施の形態によるパルプモールド容器の拡大断面図であって、先の第１の実施の形態の図３に対応する図である。
【００５９】
図を参照して、パルプモールド容器１は、耐水層を有さないものに置き換わっている。尚、他のパルプモールド容器１の構成要素は第１の実施の形態によるものと同一であるため、ここでの説明は繰り返さない。
【００６０】
このように構成すると、パルプモールド容器１は、外面が着色され、色移りがないので、見栄えが向上すると共に品質が向上する。又、熱可塑性フィルムと異なり、容器の凹凸形状の深さの影響を受けにくい。
【００６１】
ここで、この第４の実施の形態によるパルプモールド容器１は、第１の工程において、着色層１２の外面に、透明処理された熱硬化性樹脂を塗布してこれを硬化させる工程を更に含むことにより、図の二点鎖線で示す位置である着色層１２の外面にコート層１３が形成されるものも含む。このように構成すると、パルプモールド容器１は、外面が光沢を有するものとなるので、見栄え及び品質がより向上する。
【００６２】
尚、上記の各実施の形態では、耐水層が熱可塑性フィルム又は熱硬化性樹脂よりなるものであったが、他の耐水性を有する素材よりなるものであっても良い。
【００６３】
又、上記の第１の実施の形態及び第２の実施の形態では、熱可塑性フィルムがＰＰ系、ＰＥ系又はＰＥＴ系のものとされていたが、非透水性の熱可塑性フィルムであれば他の素材よりなるものであっても良い。
【００６４】
更に、上記の各実施の形態では、顔料の質量濃度が、希釈液に対して２．５％となっていたが、作業効率に応じて、適度に希釈されていれば良い。
【００６５】
更に、上記の各実施の形態では、貫通孔が所定割合で複数個形成されていたが、単数個でも良く、又、他の容器の形状や熱可塑性フィルムの特性に応じて他の割合で形成されていても良い。
【００６６】
更に、上記の第１の実施の形態及び第２の実施の形態では、熱可塑性フィルムは吸引により容器本体の内面に貼り付けられていたが、圧空成型により貼り付けても良い。
【００６７】
更に、上記の第１の実施の形態及び第２の実施の形態では、熱可塑性フィルムは接着層を有するものであったが、接着剤を容器に塗布したものでも良い。
【００６８】
更に、上記の各実施の形態では、各々の樹脂は天然性のものであったが、天然性のものでなくても良い。
【００６９】
更に、上記の各実施の形態では、１層目の熱硬化性樹脂は着色処理されたものであったが、透明のものであっても良い。
【００７０】
更に、上記の各実施の形態では、熱可塑性フィルムは透明のものであったが、半透明のものや着色処理されたものであっても良い。
【００７１】
更に、上記の各実施の形態では、熱可塑性フィルムは透明のものであったが、容器側に印刷処理したものであっても良い。
【符号の説明】
【００７２】
１…パルプモールド容器
１１…容器本体
１２…着色層
１３…コート層
１４…貫通孔
１５…耐水層
１６…コート層
１８…端部耐水層
２２…熱硬化性樹脂
２５…熱可塑性フィルム
尚、各図中同一符号は同一又は相当部分を示す。
【図１】
0005723616.tif 000002
【図２】
0005723616.tif 000003
【図３】
0005723616.tif 000004
【図４】
0005723616.tif 000005
【図５】
0005723616.tif 000006
【図６】
0005723616.tif 000007
【図７】
0005723616.tif 000008
【図８】
0005723616.tif 000009
【図９】
0005723616.tif 000010